(57)【要約】【課題】車載カメラに無線送信部が備えられても、無線送信部の発熱の影響によって車載カメラの撮像画撮が悪化される事を防止できる車載カメラを提供する。【解決手段】この車載カメラ１は、その撮像画像を所定の無線受信装置に無線伝送するものであり、ケース３内に、撮像部５と、撮像部５の撮像画像を無線伝送する無線送信部７と、撮像部５から離れて配置され無線送信部７の発熱を放熱する放熱部９とを備える。【選択図】図１
2005079931.tif 000002
【特許請求の範囲】
【請求項１】
その撮像画像を所定の無線装置に無線伝送する車載カメラであって、
ケース内に、撮像部と、前記撮像部の撮像画像を無線伝送する無線送信部と、前記撮像部から離れて配置され前記無線送信部の発熱を放熱する放熱部とを備えることを特徴とする車載カメラ。
【請求項２】
前記ケースの外壁の所定部分が高熱伝導率性部材により形成されて、前記所定部分が前記放熱部として機能されることを特徴とする請求項１に記載の車載カメラ。
【請求項３】
前記ケースの前記所定部分として前記ケースの後側ケース部分が高熱伝導率性部材により形成されて、前記後側ケース部分内の一番奥に前記後側ケース部分に熱伝導的に接触する様に前記無線送信部が収納配設されることを特徴とする請求項２に記載の車載カメラ。
【請求項４】
更に、前記撮像部及び前記無線送信部の各々の電子回路部と前記無線送信部のアンテナ部との間に電磁波遮蔽性部材が配置されることを特徴とする請求項１〜請求項３の何れかに記載の車載カメラ。
【請求項５】
前記ケースの外壁の所定部分が電磁波遮蔽性部材により形成されて、前記所定部分の内側に前記撮像部及び前記無線送信部の各々の電子回路部が配置され、前記所定部分の外側に前記無線送信部のアンテナ部が配置されることを特徴とする請求項１〜請求項４の何れかに記載の車載カメラ。
【請求項６】
前記ケースの前記所定部分として前記ケースの後側ケース部分が電磁波遮蔽性部材により形成されて、前記後側ケース部分の後壁部の外面上に前記アンテナ部が配置されることを特徴とする請求項５に記載の車載カメラ。
【請求項７】
更に、前記ケースの外面上に、前記ケースの外側に配置された前記アンテナ部及び前記ケースに設けられたアンテナ配線用挿通孔が水密状に被覆される様に防水カバーが配設されることを特徴とする請求項５又は請求項６に記載の車載カメラ。
【発明の詳細な説明】
【技術分野】
【０００１】
本発明は、その撮像画像を所定の無線装置に無線伝送する車載カメラに関する。
【背景技術】
【０００２】
例えば車載カメラの撮像画像を車載モニタに表示する車載用監視システムの中には、車載カメラと車載モニタとを接続する画像伝送ケーブルを無線化したものがある（特許文献１）。この様な無線化された車載用監視システムでは、その車載カメラは、撮像部の他に該撮像部の撮像画像を無線伝送する無線送信部を備える。他方、その車載モニタは、表示部の他に車載カメラから無線伝送される撮像画像を受信して該表示部に表示させる無線受信部を備える。
【０００３】
【特許文献１】特開２００１−３０１５３８号公報
【発明の開示】
【発明が解決しようとする課題】
【０００４】
通常、車載カメラの撮像部で用いられるＣＣＤやＣＭＯＳ等の撮像素子は、熱の影響を受けると、その撮像画像の画質が悪化する性質がある。その為、上述の様に車載カメラに無線送信部が備えられると、その無線送信部の発熱の影響によって車載カメラの撮像画撮の画質が悪化するという欠点がある。
【０００５】
又、車載カメラに無線送信部が備えられると、その無線送信部のアンテナ部からの電磁波の影響によって車載カメラの撮像部等に動作障害が生じる虞があるという欠点がある。
【０００６】
又、無線送信部のアンテナ部が車載カメラのケースの外側に配置される場合は、車載カメラの防水性が確保される様にしてケースからアンテナ部が引き出される様にする必要がある。
【０００７】
そこで、この発明の第１の課題は、車載カメラに無線送信部が備えられても、無線送信部の発熱の影響によって車載カメラの撮像画撮が悪化される事を防止できる車載カメラを提供することである。
【０００８】
又、この発明の第２の課題は、車載カメラに無線送信部が備えられても、無線送信部のアンテナ部からの電磁波の影響によって車載カメラの撮像部等に動作障害が生じる事を防止できる車載カメラを提供することである。
【０００９】
又、この発明の第３の課題は、無線送信部のアンテナ部が車載カメラのケースの外側に配置されても、車載カメラの防水性を確保できる車載カメラを提供することである。
【課題を解決するための手段】
【００１０】
上記課題を解決する為には、請求項１に記載の発明は、その撮像画像を所定の無線装置に無線伝送する車載カメラであって、ケース内に、撮像部と、前記撮像部の撮像画像を無線伝送する無線送信部と、前記撮像部から離れて配置され前記無線送信部の発熱を放熱する放熱部とを備えるものである。
【００１１】
請求項２に記載の発明は、前記ケースの外壁の所定部分が高熱伝導率性部材により形成されて、前記所定部分が前記放熱部として機能されるものである。
【００１２】
請求項３に記載の発明は、前記ケースの前記所定部分として前記ケースの後側ケース部分が高熱伝導率性部材により形成されて、前記後側ケース部分内の一番奥に前記後側ケース部分に熱伝導的に接触する様に前記無線送信部が収納配設されるものである。
【００１３】
請求項４に記載の発明は、更に、前記撮像部及び前記無線送信部の各々の電子回路部と前記無線送信部のアンテナ部との間に電磁波遮蔽性部材が配置されるものである。
【００１４】
請求項５に記載の発明は、前記ケースの外壁の所定部分が電磁波遮蔽性部材により形成されて、前記所定部分の内側に前記撮像部及び前記無線送信部の各々の電子回路部が配置され、前記所定部分の外側に前記無線送信部のアンテナ部が配置されるものである。
【００１５】
請求項６に記載の発明は、前記ケースの前記所定部分として前記ケースの後側ケース部分が電磁波遮蔽性部材により形成されて、前記後側ケース部分の後壁部の外面上に前記アンテナ部が配置されるものである。
【００１６】
請求項７に記載の発明は、更に、前記ケースの外面上に、前記ケースの外側に配置された前記アンテナ部及び前記ケースに設けられたアンテナ配線用挿通孔が水密状に被覆される様に防水カバーが配設されるものである。
【発明の効果】
【００１７】
請求項１に記載の発明によれば、無線送信部と共に無線送信部の発熱を放熱する放熱部とが備えられる為、その放熱部により無線送信部の発熱が撮像部側へ伝わる事を防止でき、これにより無線送信部の発熱の影響によって車載カメラの撮像画撮が悪化される事を防止できる。
【００１８】
請求項２に記載の発明によれば、ケースの外壁の所定部分が高熱伝導率性部材により形成されて、前記所定部分が放熱部として機能される為、放熱部の配置場所を新たに確保する必要が無く、且つ部品数の増加を抑えて、無線送信部の発熱を効率良く外部に放熱できる。
【００１９】
請求項３に記載の発明によれば、ケースの所定部分としてケースの後側ケース部分が高熱伝導率性部材により形成されて、前記後側ケース部分内の一番奥に前記後側ケース部分に熱伝導的に接触する様に無線送信部が収納配設される為、後側ケース部分が放熱部として機能された場合に、無線送信部を後側ケース部分の付近に配置でき、これにより無線送信部の発熱を周辺回路に熱的影響を与えること無く有効に外側ケース部分に伝達できる。
【００２０】
請求項４に記載の発明によれば、撮像部及び無線送信部の各々の電子回路部と無線送信部のアンテナ部との間に電磁波遮蔽性部材が配置される為、その電磁波遮蔽性部材により撮像部及び無線送信部の各々の電子回路部側と無線送信部のアンテナ部側とを電磁波遮蔽的に分離でき、これにより無線送信部のアンテナ部からの電磁波の影響によって車載カメラの撮像部等に動作障害が生じる事を防止できる。
【００２１】
請求項５に記載の発明によれば、ケースの外壁の所定部分が電磁波遮蔽性部材により形成されて（即ちケースの前記所定部分を電磁波遮蔽性部材として機能させて）、前記所定部分の内側に撮像部及び無線送信部の各々の電子回路部が配置され、前記所定部分の外側に無線送信部のアンテナ部が配置される為、電磁波遮蔽性部材の設置場所を新たに確保する必要無く、且つ部品数を増やさずに、撮像部及び無線送信部の各々の電子回路部側と無線送信部のアンテナ部側とを電磁波遮蔽的に分離できる。
【００２２】
請求項６に記載の発明によれば、ケースの所定部分としてケースの後側ケース部分が電磁波遮蔽性部材により形成されて、前記後側ケース部分の後壁部の外面上にアンテナ部が配置される為、アンテナ部が後側ケース部分の後壁部の外面上に配置された場合に、前記後側ケース部分により効果的に撮像部及び無線送信部の各々の電子回路部側と無線送信部のアンテナ部側とを電磁波遮蔽的に分離できる。
【００２３】
請求項７に記載の発明によれば、ケースの外面上に、ケースの外側に配置されたアンテナ部及びケースに設けられたアンテナ配線用挿通孔が水密状に被覆される様に防水カバーが配設される為、その防水カバーによりアンテナ配線用挿通孔での防止性を確保でき、これによりアンテナ部がケースの外側に配置されても、車載カメラの防水性を確保できる。
【発明を実施するための最良の形態】
【００２４】
この実施の形態の車載カメラ１は、その撮像画像を所定の無線受信装置（無線装置）（例えば背景技術の場合と同様に無線化された車載用監視システムの車載モニタ内の無線受信部）に無線伝送するものであり、図１の様に、ケース３と、撮像部５と、撮像部５の撮像画像を無線伝送する無線送信部７と、撮像部５から離れて配置され無線送信部７の発熱を放熱する放熱部９と、各要素５，７の各々の電気回路部と無線送信部７のアンテナ部７ａとの間に配置された電磁波遮蔽性部材１１と、無線送信部７のアンテナ部７ａを保護する保護ケース（防水カバー）１３とを備えて構成される。ここでは、放熱部９の本体部９ａ及び電磁波遮蔽性部材１１はケース３により機能される。
【００２５】
ケース３は、前側ケース３ａと後側ケース３ｂとに分割構成される。前側ケース３ａは、遮光性の樹脂部材により後面開放の箱状に形成される。前側ケース３ａの前面には、透明性の樹脂部材（例えばポリカーボネイト）により窓部３ｃが形成される。
【００２６】
後側ケース３ｂは、高熱伝導率性及び電磁波遮蔽性の部材（例えばアルミニウム等の金属部材）により前面開放の箱状に形成される。後側ケース３ｂの後壁部３ｄの外側面３ｅには、後述の様に該外側面３ｅ上にアンテナ部７ａを配置させるべく、アンテナ配線用挿通孔３ｆが設けられる。又、後側ケース３ｂの後壁部３ｄの外側面３ｅには、電源線用挿通孔３ｇが設けられ、その電源線用挿通孔３ｇを通じて外部から内部に電源線１５が導入される。電源線用挿通孔３ｇと電源線１５との間には、ゴム製筒状の防水ブッシュ３ｈが介装される。この防水ブッシュ３ｈにより電源線用挿通孔３ｇでの防水性が確保される。
【００２７】
ここでは、後側ケース３ｂは、電磁波遮蔽性部材により形成されることにより、後述の様に後側ケース３ｂ内に収納配設される各要素５，７の各々の電子回路部を後側ケース３ｂの後壁部３ｄの外側面３ｅ上に配置されるアンテナ部７ａからの電磁波から電磁波遮蔽的に保護する電磁波遮蔽性部材１１として機能される。又、後側ケース３ｂは、高熱伝導率性部材により形成されることにより、後述の様に放熱部９の本体部として機能される。
【００２８】
両ケース３ａ，３ｂは、後述の様にそれらの内部に各要素５，７，９が収納配設された状態で、且つ前側ケース３ａの開放後面の周縁部と後側ケース３ｂの開放前面の周縁部とが防水シール部材（例えばゴムパッキン）３ｉを介して水密状に当接された状態で、例えばネジ（図示省略）により互いに結合固定される。
【００２９】
撮像部５は、例えば車載カメラ１の前方視野を撮像するものであり、ケース３の窓部３ｃの後側に配置される撮像レンズ５ａと、撮像レンズ５ａの後側に配置される撮像素子（電子回路部）５ｂ及び該撮像素子５ｂの撮像画像を映像信号に変換する信号処理部（図示省略、電子回路部）を実装する回路基板５ｃとを備えて構成される（尚、回路基板５ｃには、無線送信部７側の後述の基板コネクタ７ｅと連結される基板コネクタ５ｄも実装される）。撮像レンズ５ａは、レンズホルダ５ｅに保持されて前側ケース３ａ内に収納配設される。回路基板５ｃは、撮像素子５ｂが撮像レンズ５ａの真後側に配置される様に後側ケース３ｂ内に収納配設される。この構成では、ケース３の窓部３ｃからの入射光１９は、撮像レンズ５ａを介して撮像素子５ｂに結像され、これにより撮像素子５ｂにより車載カメラ１の前方視野が撮像される。そして、撮像素子５ｂの撮像画像は、上記の信号処理部により映像信号に変換されて無線送信部７に出力される。
【００３０】
無線送信部７は、アンテナ部７ａと、撮像部５からの映像信号を無線信号に変調してアンテナ部７ａから無線伝送する無線送信回路部（電子回路部）７ｂを実装する回路基板７ｃとを備える。回路基板７ｃには、アンテナ部７ａに接続される給電線７ｄ及び後側ケース３ｂの電源線用挿通孔３ｇから導入された電源線１５が接続されると共に回路基板５ｃ側の基板コネクタ５ｄと連結される基板コネクタ７ｅが実装される。回路基板７ｃは、無線送信回路部７ｂ側を後側（後側ケース３ｂの後壁部３ｄ側）に向けて回路基板５ｃの後側（後側ケース３ｂ内の一番奥）に収納配設される。アンテナ部７ａは、回路基板５ｃからの給電線７ｄが後側ケース３ｂの電源線用挿通孔３ｇを通じて後側ケース３ｂの後壁部３ｄの外側面３ｅ上に引き出された状態で、後側ケース３ｂの後壁部３ｄの外側面３ｅ上に配置される。
【００３１】
放熱部９は、高熱伝導率性部材により形成されて放熱部９の本体部９ａとして機能される後側ケース３ｂと、無線送信回路部７ｂの後面７ｆと後側ケース３ｂの後壁部３ｄの内側面３ｊとの間に介設された高熱伝導性の放熱シート９ｂとを備える。この構成により、無線送信回路部７ｂの発熱は、放熱シート９ｂを介して放熱部９の本体部９ａとしての後側ケース３ｂに伝わって後側ケース３ｂの外表面から外部に自然放熱される。
【００３２】
保護ケース１３は、無線伝送を妨げない樹脂部材（例えばプラスチック）により前面開放の底浅の箱状に形成される。この保護ケース１３は、その収納凹部内にアンテナ部７ａ及びアンテナ配線用挿通孔３ｆを被覆する様にして、その開放前面の周縁部が後側ケース３ｂの後壁部３ｄの外側面３ｅに防水シール部材（例えばゴムパッキン）１３ａを介して水密状に当接された状態で、例えばネジ（図示省略）により後側ケース３ｂの後壁部３ｄの外側面３ｅに結合固定される。
【００３３】
以上の様に構成された車載カメラ１によれば、無線送信部７と共に無線送信部７の発熱を放熱する放熱部９とが備えられる為、その放熱部９により無線送信部７の発熱が撮像部５側へ伝わる事を防止でき、これにより無線送信部７の発熱の影響によって車載カメラ１の撮像画撮が悪化される事を防止できる。
【００３４】
又、ケース３の外壁の所定部分（ここでは後側ケース３ｂ）が高熱伝導率性部材により形成されて、該所定部分３ｂが放熱部９として機能される為、放熱部９の配置場所を新たに確保する必要が無く、且つ部品数の増加を抑えて、無線送信部７の発熱を効率良く外部に放熱できる。
【００３５】
又、ケース３の所定部分としてケース３の後側ケース３ｂ部分が高熱伝導率性部材により形成されて、後側ケース３ｂ部分内の一番奥に後側ケース３ｂ部分に熱伝導的に接触する様に無線送信部が収納配設される為、後側ケース３ｂ部分が放熱部９として機能された場合に、無線送信部７を後側ケース３ｂ部分の付近に配置でき、これにより無線送信部７の発熱を周辺回路に熱的影響を与えること無く有効に外側ケース３ｂ部分に伝達できる。
【００３６】
又、撮像部５及び無線送信部７の各々の電子回路部（例えば５ｂ，７ｂ）と無線送信部７のアンテナ部７ａとの間に電磁波遮蔽性部材１１が配置される為、その電磁波遮蔽性部材１１により撮像部５及び無線送信部７の各々の電子回路部側と無線送信部７のアンテナ部７ａ側とを電磁波遮蔽的に分離でき、これにより無線送信部７のアンテナ部７ａからの電磁波の影響によって車載カメラ１の撮像部５等に動作障害が生じる事を防止できる。
【００３７】
又、ケース３の外壁の所定部分（ここでは後側ケース３ｂ）が電磁波遮蔽性部材により形成されて（即ちケース３の所定部分３ｂを電磁波遮蔽性部材１１として機能させて）、該所定部分３ｂの内側に撮像部５及び無線送信部７の各々の電子回路部（例えば５ｂ，７ｂ）が配置され、該所定部分３ｂの外側に無線送信部７のアンテナ部７ａが配置される為、電磁波遮蔽性部材１１の設置場所を新たに確保する必要無く、且つ部品数の増加を抑えて、撮像部５及び無線送信部７の各々の電子回路部側と無線送信部７のアンテナ部７ａ側とを電磁波遮蔽的に分離できる。
【００３８】
又、ケース３の所定部分としてケース３の後側ケース３ｂ部分が電磁波遮蔽性部材により形成されて、後側ケース３ｂ部分の後壁部３ｄの外面３ｅ上にアンテナ部７ａが配置される為、アンテナ部７ａが後側ケース３ｂ部分の後壁部３ｄの外面３ｅ上に配置された場合に、後側ケース３ｂ部分により効果的に撮像部５及び無線送信部７の各々の電子回路部（例えば５ｂ，７ｂ）側と無線送信部７のアンテナ部７ａ側とを電磁波遮蔽的に分離できる。
【００３９】
又、ケース３の外面上に、ケース３の外側に配置されたアンテナ部７ａ及びケース３に設けられたアンテナ配線用挿通孔３ｆが水密状に被覆される様に保護ケース１３が配設される為、その保護ケース１３により、アンテナ部７ａを保護できると共にアンテナ配線用挿通孔３ｆでの防止性を確保でき、これによりアンテナ部７ａがケース３の外側に配置されても、車載カメラ１の防水性を確保できる。
【図面の簡単な説明】
【００４０】
【図１】本発明の実施の形態の車載カメラの断面概略図である。
【符号の説明】
【００４１】
１  車載カメラ
３  ケース
３ｂ  後側ケース
３ｅ  後側ケースの後壁部の外側面
３ｆ  アンテナ配線用挿通孔
５  撮像部
５ｂ  撮像素子
５ｃ  回路基板
７  無線送信部
７ａ  アンテナ部
７ｂ  無線送信回路部
７ｃ  回路基板
９  放熱部
９ａ  放熱部の本体部
９ｂ  放熱シート
１１  電磁波遮蔽性部材
１３  保護ケース
１３ａ  防水シール部材
【図１】
2005079931.tif 000003